(57)【特許請求の範囲】
【請求項１】
左右一対のＬ字状部材の下端が農機具に取付けられ、上端が水平バーで連結されている構造において、
前記の一対のＬ字状部材の下辺を利用して農機具に取付けられた基枠の前端に水平の軸棒が付いており、この軸棒を支点にして回動する支持バーの先端にローラを付けてあり、前記水平バーを支点にして回転する連結バーの先端を前記支持バーの中間と連結可能とした農機具の積み降ろし構造。
【請求項２】
前記の水平の軸棒が前記のＬ字状部材より前方に位置させてあり、前記の連結バーの先端又は基端を支持バー又は水平バーから取り外して、支持バーを前記のＬ字状部材の上に倒すと、コンパクトに収納される請求項１に記載の農機具の積み降ろし構造。
【請求項３】
農機具に取付けられる基枠の前端に水平の軸棒が付いており、この軸棒を支点にして回動する支持バーの先端にローラを付けてあり、農機具の水平バーを支点にして回転する連結バーの先端を前記支持バーの中間に連結可能としてあることを特徴とする農機具の積み降ろし用のアタッチメント。
【請求項４】
左右一対のＬ字状部材の下端が農機具に取付けられ、上端が水平バーで連結されている構造において、
前記の一対のＬ字状部材の下辺を利用して農機具に取付けられた基枠の前端に水平の軸棒が付いており、この軸棒を支点にして回動する支持バーの先端にローラを付けてあり、前記水平バーを支点にして回転する連結バーの先端を前記支持バーの中間に連結した状態とし、
前記ローラを移送手段の荷台に載せた状態で、このローラを支点にして、前記農機具を持ち上げて、前記ローラが回転前進するようにして前記農機具を荷台に積み込むことを特徴とする農機具の積載方法。
【請求項５】
前記の水平の軸棒が前記のＬ字状部材より前方に位置させてある構造において、農機具の積み降ろしをしない場合は、前記の連結バーの先端又は基端を支持バーから取り外して、支持バーを前記のＬ字状部材の上に倒してコンパクトに退避する請求項４に記載の農機具の積載方法。
【請求項６】
左右一対のＬ字状部材の下端が農機具に取付けられ、上端が水平バーで連結されている構造において、
前記の一対のＬ字状部材の下辺を利用して農機具に取付けられた基枠の前端に水平の軸棒が付いており、この軸棒を支点にして回動する支持バーの先端に自走用のタイヤ車輪を付けてあり、この支持バーの片側に連結バーを取付けて前記水平バーに連結可能とし、他側に自走バーを取付けて、前記連結バーを水平バーから取り外した状態で前記軸棒より下側を通って農機具に連結可能とした農機具の積み降ろし兼用自走構造。
【請求項７】
農機具に取付けられる基枠の前端に水平の軸棒が付いており、この軸棒を支点にして回動する支持バーの先端に自走用のタイヤ車輪を付けてあり、この支持バーの片側に連結バーを取付けて前記水平バーに連結可能とし、他側に自走バーを取付けて、前記連結バーを水平バーから取り外した状態で前記軸棒より下側を通って農機具に連結可能としてあることを特徴とする農機具の積み降ろし兼用自走構造のアタッチメント。
【発明の詳細な説明】
【技術分野】
【０００１】
本発明は、比較的小型の農機具の積み降ろし構造に関し、農機具にアタッチメントを付けて前記アタッチメントを支えにして農機具を軽トラックなどに積み降ろしする構造であり、農機具単独での移動も楽にできる。
【背景技術】
【０００２】
近年は農業も機械化されているため、農機具を移動する機会も多い。その際に、近距離の場合は別として、軽トラックなどに積んで移送する場合が多い。その場合、軽トラックなどの荷台に農機具を積み降ろしするには、軽トラックなどに付けてあるクレーンなどを利用できれば良いが、クレーンなどが付いていない場合が多い。クレーンなどが付いてない場合に備えて、特許文献１のような専用のブリッジを利用することが提案されている。
【先行技術文献】
【特許文献】
【０００３】
【特許文献１】特開2010−143297
【発明の概要】
【発明が解決しようとする課題】
【０００４】
しかしながら、ブリッジが上昇した状態に安定させる脚を確実に立てないと危険であり、またブリッジや付属の部品が高価となる。また、農地や農道などの近距離を自力で移動する場合でも、自走して移動する工夫がなされてないので、不便である。
本発明の技術的課題は、このような問題に着目し、構造が簡易で安価なアタッチメントを農機具に取付けるだけで比較的容易に軽い力で積み降ろしでき、しかも自力で近距離を走行可能とすることにある。
【課題を解決するための手段】
【０００５】
本発明の技術的課題は次のような手段によって解決される。請求項１は、左右一対のＬ字状部材の下端が農機具に取付けられ、上端が水平バーで連結されている構造において、
前記の一対のＬ字状部材の下辺を利用して農機具に取付けられた基枠の前端に水平の軸棒が付いており、この軸棒を支点にして回動する支持バーの先端にローラを付けてあり、前記水平バーを支点にして回転する連結バーの先端を前記支持バーの中間と連結可能とした農機具の積み降ろし構造である。
【０００６】
請求項２は、前記の水平の軸棒が前記のＬ字状部材より前方に位置させてあり、前記の連結バーの先端又は基端を支持バー又は水平バーから取り外して、支持バーを前記のＬ字状部材の上に倒すと、コンパクトに収納される請求項１に記載の農機具の積み降ろし構造である。
【０００７】
請求項３は、農機具に取付けられる基枠の前端に水平の軸棒が付いており、この軸棒を支点にして回動する支持バーの先端にローラを付けてあり、農機具の水平バーを支点にして回転する連結バーの先端を前記支持バーの中間に連結可能としてあることを特徴とする農機具の積み降ろし用のアタッチメントである。
【０００８】
請求項４は、左右一対のＬ字状部材の下端が農機具に取付けられ、上端が水平バーで連結されている構造において、
前記の一対のＬ字状部材の下辺を利用して農機具に取付けられた基枠の前端に水平の軸棒が付いており、この軸棒を支点にして回動する支持バーの先端にローラを付けてあり、前記水平バーを支点にして回転する連結バーの先端を前記支持バーの中間に連結した状態とし、
前記ローラを移送手段の荷台に載せた状態で、このローラを支点にして、前記農機具を持ち上げて、前記ローラが回転前進するようにして前記農機具を荷台に積み込むことを特徴とする農機具の積載方法である。
【０００９】
請求項５は、前記の水平の軸棒が前記のＬ字状部材より前方に位置させてある構造において、農機具の積み降ろしをしない場合は、前記の連結バーの先端又は基端を支持バーから取り外して、支持バーを前記のＬ字状部材の上に倒してコンパクトに退避する請求項４に記載の農機具の積載方法である。
【００１０】
請求項６は、左右一対のＬ字状部材の下端が農機具に取付けられ、上端が水平バーで連結されている構造において、
前記の一対のＬ字状部材の下辺を利用して農機具に取付けられた基枠の前端に水平の軸棒が付いており、この軸棒を支点にして回動する支持バーの先端に自走用のタイヤ車輪を付けてあり、この支持バーの片側に連結バーを取付けて前記水平バーに連結可能とし、他側に自走バーを取付けて、前記連結バーを水平バーから取り外した状態で前記軸棒より下側を通って農機具に連結可能とした農機具の積み降ろし兼用自走構造である。
【００１１】
請求項７は、農機具に取付けられる基枠の前端に水平の軸棒が付いており、この軸棒を支点にして回動する支持バーの先端に自走用のタイヤ車輪を付けてあり、この支持バーの片側に連結バーを取付けて前記水平バーに連結可能とし、他側に自走バーを取付けて、前記連結バーを水平バーから取り外した状態で前記軸棒より下側を通って農機具に連結可能としてあることを特徴とする農機具の積み降ろし兼用自走構造のアタッチメントである。
【発明の効果】
【００１２】
請求項１のように、左右一対のＬ字状部材の下辺が農機具に取付けられ、上端が水平バーで連結されている構造において、
前記の一対のＬ字状部材の下辺を利用して取付けられた基枠の前側に水平の軸棒が付いており、この軸棒を支点にして基端が回動する支持バーの先端にローラを付けてあり、前記水平バーを支点にして基端が回転する連結バーの先端を前記支持バーの中間に連結可能としてあるので、構造が簡易であり、この安価なアタッチメントを農機具に取付けるだけで足り、農機具が通るブリッジの支持脚が倒れたり、スロープを緩くするためにブリッジを長くしたりする必用も無く、無難で安価である。
【００１３】
請求項２のように、前記の水平の軸棒が前記のＬ字状部材より前方に位置させてあり、前記の連結バーの先端又は基端を取り外して、支持バーを前記のＬ字状部材の上に倒すと、コンパクトに収納されるので、農作業に支障を来す恐れは無い。
【００１４】
請求項３のように、農機具の積み降ろし用のアタッチメントは、農機具に取付けられる基枠の前側に水平の軸棒が付いており、この軸棒を支点にして回動する支持バーの先端にローラを付けてあり、農機具の水平バーを支点にして回転する連結バーの先端を前記支持バーの中間に連結可能としてあるので、このアタッチメントの支持バーや連結バーの基端を農機具側に取付けると、水平バーを支点にして回転する連結バーの先端を前記支持バーの中間に連結して前に伸ばした状態において、前記ローラを軽トラックなどの移送手段の荷台に載せた状態で、このローラを支点にして、前記農機具を持ち上げて、前記ローラが回転前進するように前に押して積載するので、安定して積載でき、安心である。
【００１５】
請求項４のように、水平バーを支点にして基端が回動する連結バーの先端を前記支持バーの中間に連結して前に伸ばした状態において、前記ローラを軽トラックなどの移送手段の荷台に載せた状態で、このローラを支点にして、前記農機具を持ち上げて、前記ローラが回転前進するように前に押して積載するので、ブリッジの支持脚が倒れるような危険はなく、安心である。
【００１６】
請求項５のように、前記の水平の軸棒を前記のＬ字状部材より前方に位置させてある構造において、農機具の積み降ろしをしない場合は、前記の連結バーの先端又は基端を支持バーから取り外して、支持バーを前記のＬ字状部材の上に倒してコンパクトに退避させるので、農機具の積み降ろしをしない場合に、農作業の邪魔になることはない。また、農機具以外にブリッジや付属の部品を保管する必用も無く、保管スペースも必用無い。
【００１７】
請求項６のように、左右一対のＬ字状部材の下端が農機具に取付けられ、上端が水平バーで連結されている構造において、
前記の一対のＬ字状部材の下辺を利用して農機具に取付けられた基枠の前端に水平の軸棒が付いており、この軸棒を支点にして回動する支持バーの先端に自走用のタイヤ車輪を付けてあり、この支持バーの片側に連結バーを取付けて前記水平バーに連結可能とし、他側に自走バーを取付けて、前記連結バーを水平バーから取り外した状態で前記軸棒より下側を通って農機具に連結可能としたので、農地を自走して移動する場合は、支持バーを下ろしで倒し、自走バーを農機具の下側に連結固定することで自走可能とし、軽トラックの荷台などに乗せて移送する場合は、前記の自走バーを外して、連結バーを水平バーに連結して支持バーを水平に延ばし、タイヤ車輪を利用して乗せたり降ろしたりする。
【００１８】
請求項７のように、農機具に取付けられる基枠の前端に水平の軸棒が付いており、この軸棒を支点にして回動する支持バーの先端に自走用のタイヤ車輪を付けてあり、この支持バーの片側に連結バーを取付けて前記水平バーに連結可能とし、他側に自走バーを取付けて、前記連結バーを水平バーから取り外した状態で前記軸棒より下側で農機具に連結可能としてあるので、農機具の下側に基枠を取付け固定するだけで、アタッチメントを取付けて農機具を自走させ、農地を移動したり、連結バーを取り外して、自走バーを水平バーに連結して支持バーを水平に延ばし、タイヤ車輪を利用して乗せたり降ろしたりできる。
【図面の簡単な説明】
【００１９】
【図１】本発明の適用に適した農機具の斜視図である。
【図２】連結バーの取付け構造を示す斜視図である。
【図３】アタッチメントの取付け状態の斜視図である。
【図４】軽トラックの荷台へローラを支持した斜視図である。
【図５】軽トラックの荷台へ積載するために農機具を持ち上げた斜視図である。
【図６】支持バーを立てた状態の側面図である。
【図７】積み降ろし可能な農機具が自走する構造を示す斜視図である。
【図８】支持バーを下向きに傾斜させるべく自走バーを農機具側に連結する方法を示す斜視図である。
【図９】積み降ろしに備えて支持バーを水平に延ばした構造を示す斜視図である。
【図１０】農作業に備えて支持バーを立てて退避させる方法を示す図である。
【発明を実施するための形態】
【００２０】
次に本発明による農機具の積み降ろし構造が実際上どのように具体化されるか実施形態で説明する。図１は農機具の斜視図であり、本発明の適用に適している。左右二つのハンドル１、２の付いている農機具３は、畑地を耕した後に土を細かくする左右方向の幅の広いローター４が付いており、安定用の小径のソリッドタイヤの車輪５を左右２個有している。Ｅはエンジン、６は燃料タンクである。
この農機具３の前方には、予め緩衝用のパイプ枠Ｐが取付けてあるが、その形状は、左右一対のＬ字状部材７、７′の水平方向の下辺71、71′が農機具３の下面に取付けられ、上端が門構え状に水平バー８で連結されている。
【００２１】
本発明のアタッチメントはこの緩衝パイプ枠Ｐを利用して取付けるが、まず図２のように、前記の一対のＬ字状部材７、７′の下辺71・71′にＵボルトＢ、Ｂ′等で基枠９を取付け、その左右から前方にＬ字状に突出したアームの前端に水平の軸棒１０が付いている。この軸棒１０を支点にして基端が回動する支持バー１１の先端下部にローラＲを付けてある。
また、図３のように、前記の水平バー８に連結バー１２の基端をＵボルト等の取付け手段で取付け、この水平バー８を支点にして基端が回動する連結バー１２の先端を前記支持バー１１の中間に取付けて連結してある。さらに、前記の水平の軸棒１０を前記のＬ字状部材７、７′より前方に位置させてあり、前記の連結バー１２の先端又は基端を取り外して、長い支持バー１１を前記のＬ字状部材７、７′の上に倒すと、コンパクトに折り畳まれた状態で立つ。
【００２２】
図３のように、この支持バー１１を前方に伸ばした状態で、図４のように、前記ローラＲを軽トラック等の移送手段の荷台１３に載せた状態で、このローラＲを支点にして、図５のように前記農機具３を前記ハンドル１、２で持ち上げて、前記ローラＲが回転前進するように押すと、前記農機具３が荷台１３に積み込まれる。荷台１３から降ろすときは、前記の動作と全く逆の操作をするだけでよい。
長い支持バー１１が前方に伸びたままだと、農作業の邪魔になるので、前記の連結バー１２の先端又は基端を支持バー１１又は水平バー８から取り外してから、支持バー１１を前記の水平バー８の上に倒すと、図６のようにコンパクトに折り畳まれた状態で立つ。
【００２３】
前記の支持バー１１が１本のため、積み降ろし時に農機具３が不安定となって左右に転倒する恐れがある場合は、支持バー１１を離して左右２本とすることもできる。すなわち、１本の支持バー１１は軸棒１０の一端に取付け、他の１本は軸棒１０の他端に取付ける。先端は、２本の支持バー１１・１１の間に前記ローラＲを挟んでもよいし、２本の支持バー１１・１１それぞれの先端にローラＲ・Ｒを取付け、両ローラＲ・Ｒの間にスペーサを介在させてもよい。このスペーサの寸法は任意である。
連結バー１２も、それぞれの支持バー１１・１１の中間に先端を連結し、基端はスペーサを挟んだりして間隔をおき、水平バー８の両端に連結バー基端を取付ける。
【００２４】
前記の基枠９や連結バー１２を取外したアタッチメント単位で購入して来て、農機具３に取付けてもよいし、当初から農機具３に装備しておいてもよい。
前者のように、アタッチメントを購入して来て取付けるには、農機具３に緩衝用のパイプ枠Ｐが付いてない場合は、農機具３の他の部分を利用してアタッチメントを取付けたり、緩衝用のパイプ枠Ｐに相当する部品を設けてもよい。
なお、直径が５ｃｍ程度のローラＲを使用したが、直径を大きくして図７以下のように上方にも突出する構造も可能である。
【００２５】
前記の構造を改良した図７は、移送手段に積んで移送する場合に限らず、農機具のみで自走も容易な構造であり、前記の支持バー１１の先端に大径のタイヤ車輪Ｔを有し、前記支持バー１１の片側に連結バー１２'を有し、他側に自走バー１４を有してい
る。前記の連結バー１２'と自走バー１４は、同一のボルト１５で支持バー１１の中間に
取付けてあり、またタイヤ車輪Ｔは、圧縮空気の入った空洞を有している。なお、このタイヤ車輪Ｔは、直径２５ｃｍ程度であるが、２５±１０ｃｍ程度でもよい。
前記の自走バー１４の他端は、前記の支持バー１１が図７のように下向きに倒れるため、図８のように、農機具本体に付いている部材に横孔１６を開け、自走バー１４にも横孔１６'を開けてボルトやピン１７を挿通する。従って、雨降り後にぬかるんだ農地であっ
ても、タイヤ車輪Ｔが大径で圧縮空気が入っているため、幅や径の小さいソリッドタイヤ車輪５やローター４が土にめり込まず、円滑に走行できる。
【００２６】
前記の支持バー１１の片側に取付けられた連結バー１２'は、自走時には使用しないので、前記の片方のＬ字状部材７′等の近隣の部材に線材などで仮止めしておく。前記のボルトやピン１７を外して自走バー１４をフリーとし、図９のように連結バー１２'の先端のＵ状フックｆを前記の水平バー８に引っ掛けて先端のボルトｂを締めて固定すると、図２〜図５のように、水平状となる。すなわち、タイヤ車輪Ｔが前記のローラＲと同じ作用をするので、軽トラックなどの移送手段の荷台に載せた状態で、このタイヤ車輪Ｔを支点にして、前記農機具３を持ち上げて、前記タイヤ車輪Ｔが回転前進するように前に押して積載するので、安定して積載でき、安心である。
【００２７】
先端のボルトｂを緩めてＵ状フックｆを外し、図10のように連結バー１２'もフリーにすると、タイヤ車輪Ｔの付いた支持バー１１もフリーとなるので、燃料タンク６側に倒し、農機具３による作業の邪魔になるのを防げる。なお、農機具３側に倒した支持バー１１は、線材などで仮止めして、倒れたりしないように措置することは当然である。
なお、支持バー１１を２本にして、１本はタイヤ車輪Ｔの片側に、他の１本はタイヤ車輪Ｔの他側に配設することも可能である。この場合、タイヤ車輪Ｔ寄りにスペーサを設けて、安定性を増す構造が望ましい。
【産業上の利用可能性】
【００２８】
以上のように本発明は、左右一対のＬ字状部材の下辺が農機具に取付けられ、上端が水平バーで連結されている構造において、前記の一対のＬ字状部材の下辺を利用して基枠が取付けられ、その前端に水平の軸棒が付いており、この軸棒を支点にして回動する支持バーの先端にローラを付けてあり、前記水平バーを支点にして回動する連結バーの先端を前記支持バーの中間に連結可能としてあるので、構造が簡易であり、この安価なアタッチメントを農機具に取付けるだけで足り、ブリッジの支持脚が倒れたり、スロープを緩くするためにブリッジを長くしたりする必用も無く、無難である。しかも、支持バーを下向きに連結することで、自走も可能となる。
【符号の説明】
【００２９】
１・２  ハンドル
３  農機具
４  ローター
５  車輪
Ｅ  エンジン
６  燃料タンク
Ｐ  緩衝用のパイプ枠
７、７′  左右一対のＬ字状部材
71・71′  一対のＬ字状部材の下辺
８  水平バー
Ｂ、Ｂ′Ｕ字ボルト
９  基枠
１０  水平の軸棒
１１  積み降ろし用の長い支持バー
Ｒ  ローラ（車輪）
１２、１２'  連結バー
１３  荷台
Ｔ  大径のタイヤ車輪
１４  自走バー
１５  ボルト
１６  横孔
１７  ボルトやピン
ｆ  Ｕ状フック
ｂ  ボルト
【要約】
【課題】構造が簡易で安価なアタッチメントを農機具に取付けるだけで、比較的容易に軽い力で積み降ろし可能とし、自走も可能とする。
【解決手段】農機具に取付けられ、上端に水平バーを有する構造において、一対のＬ字状部材より前側に水平の軸棒が付いており、この軸棒を支点にして回動する支持バーの先端下部にローラを付けてあり、連結バーの先端を前記支持バーの中間に連結可能としてあるので、構造が簡易であり、この安価なアタッチメントを農機具に取付けるだけで足り、農機具が通るブリッジの支持脚が倒れたり、スロープを緩くするためにブリッジを長くしたりする必用も無く、無難で安価である。しかも、支持バーを下向きにするだけで自走も可能である。
【選択図】図５【図１】
0005893202.tif 000002
【図２】
0005893202.tif 000003
【図３】
0005893202.tif 000004
【図４】
0005893202.tif 000005
【図５】
0005893202.tif 000006
【図６】
0005893202.tif 000007
【図７】
0005893202.tif 000008
【図８】
0005893202.tif 000009
【図９】
0005893202.tif 000010
【図１０】
0005893202.tif 000011